【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
遊技盤の前面に形成されて遊技者の操作により遊技球が打ち込まれる遊技領域と、
該遊技領域内に配されて遊技球の入賞が可能な始動入賞口と、
該始動入賞口への遊技球の入賞を検出する始動検出手段と、
該始動検出手段による遊技球の検出に応じて所定の開閉動作が可能な開閉片、該開閉片の開放によって遊技球が進入可能となる進入口、該進入口から進入した遊技球を検出する進入検出手段、該進入検出手段によって検出された遊技球を受け入れる入賞空間、該入賞空間に入った遊技球を転動させて規定時間内で所定の演出を行う転動装置、該転動装置により転動させられた遊技球を受け入れ可能とされて遊技者に有利な特定遊技状態が発生し得る特定入賞領域及び前記特定遊技状態が発生しない通常入賞領域、該通常入賞領域に入った遊技球を検出する通常検出手段、前記特定入賞領域及び前記通常入賞領域における遊技球の受け入れを所定の周期をもって切り替える受入切替手段を有し、前記遊技領域内の前記始動入賞口とは異なる位置に配された可変入賞装置と、を備えた遊技機であって、
前記可変入賞装置は、
前記入賞空間の後壁部分に配されると共に、当該後壁部分のほぼ全体に表示画面が臨設されて演出表示を行う表示器を備え、
前記転動装置は、
前記入賞空間に入った遊技球を受け入れる球入口と、該球入口で受け入れた遊技球を前記特定入賞領域又は前記通常入賞領域に送り出す球出口とを有し、前記球入口での遊技球の受け入れを可能にすると共に前記表示画面の少なくとも前面一部を隠蔽する第一の位置と、当該隠蔽を解除する通常位置となる第二の位置との間で移動可能に設けられた可動通路部材と、を備え、
前記可動通路部材は、
１個の遊技球を受け入れ可能な球受凹部が周方向に一定間隔を置いて複数個形成されると共にモータの駆動に基づいて常時、一方向に回動する円盤形状の球受回動部材と、
該球受回動部材の上端側に設けられて前記入賞空間内に入った遊技球を前記複数個の球受凹部のいずれかに送り込む球受入口と、
前記球受回動部材の下端側に設けられて前記球受回動部材の回動動作に伴って前記球受凹部内の遊技球を前記特定入賞領域又は前記通常入賞領域に排出する球排出口と、を備え、
前記遊技機は、
前記進入検出手段による遊技球の検出に基づいて、前記可動通路部材を前記第二の位置から前記第一の位置に移動させる制御を行う移動制御手段と、
前記表示器による演出表示を制御する演出表示制御手段と、を備え、
前記演出表示制御手段は、
前記可動通路部材が前記第一の位置に移動した状態で、当該可動通路部材に対して作用を及ぼす演出画像を表示制御し、前記通常検出手段によって遊技球が検出されたときは、前記特定遊技状態が発生しない旨を遊技者に示唆する態様で前記作用を及ぼす演出画像を表示制御する一方、前記特定検出手段によって遊技球が検出されたときは、前記特定遊技状態が発生する旨を遊技者に示唆する態様で前記作用を及ぼす演出画像を表示制御することを特徴とする遊技機。
【請求項２】
前記可動通路部材に入った遊技球を検出する通路内検出手段と、
該通路内検出手段による遊技球の検出タイミングに基づいて当該遊技球が前記特定入賞領域に入る可能性を予測する特定入賞予測手段と、を備え、
前記演出表示制御手段は、
前記特定入賞予測手段により遊技球が前記特定入賞領域に入る可能性が高いと予測されたときは、遊技球が前記特定入賞領域又は前記通常入賞領域に入る前段階で当該遊技球が前記特定入賞領域に入る可能性が高いことを予告する演出画像を表示制御する一方、前記特定入賞予測手段により遊技球が前記特定入賞領域に入る可能性が低いと予測されたときは、遊技球が前記特定入賞領域又は前記通常入賞領域に入る前段階で当該遊技球が前記特定入賞領域に入る可能性が低いことを予告する演出画像を表示制御することを特徴とする請求項１記載の遊技機。
【手続補正２】
【補正対象書類名】明細書
【補正対象項目名】０００１
【補正方法】変更
【補正の内容】
【０００１】
本発明は、遊技盤の前面に形成されて遊技者の操作により遊技球が打ち込まれる遊技領域と、該遊技領域内に配されて遊技球の入賞が可能な始動入賞口と、該始動入賞口への遊技球の入賞を検出する始動検出手段と、該始動検出手段による遊技球の検出に応じて所定の開閉動作が可能な開閉片、該開閉片の開放によって遊技球が進入可能となる進入口、該進入口から進入した遊技球を検出する進入検出手段、該進入検出手段によって検出された遊技球を受け入れる入賞空間、該入賞空間に入った遊技球を転動させて規定時間内で所定の演出を行う転動装置、該転動装置により転動させられた遊技球を受け入れ可能とされて遊技者に有利な特定遊技状態が発生し得る特定入賞領域及び前記特定遊技状態が発生しない通常入賞領域、該通常入賞領域に入った遊技球を検出する通常検出手段、前記特定入賞領域及び前記通常入賞領域における遊技球の受け入れを所定の周期をもって切り替える受入切替手段を有し、前記遊技領域内の前記始動入賞口とは異なる位置に配された可変入賞装置と、を備えた遊技機に関するものである。
【手続補正３】
【補正対象書類名】明細書
【補正対象項目名】０００４
【補正方法】変更
【補正の内容】
【０００４】
（解決手段１）
上記目的を達成するために、請求項１の発明においては、遊技盤の前面に形成されて遊技者の操作により遊技球が打ち込まれる遊技領域と、該遊技領域内に配されて遊技球の入賞が可能な始動入賞口と、該始動入賞口への遊技球の入賞を検出する始動検出手段と、該始動検出手段による遊技球の検出に応じて所定の開閉動作が可能な開閉片、該開閉片の開放によって遊技球が進入可能となる進入口、該進入口から進入した遊技球を検出する進入検出手段、該進入検出手段によって検出された遊技球を受け入れる入賞空間、該入賞空間に入った遊技球を転動させて規定時間内で所定の演出を行う転動装置、該転動装置により転動させられた遊技球を受け入れ可能とされて遊技者に有利な特定遊技状態が発生し得る特定入賞領域及び前記特定遊技状態が発生しない通常入賞領域、該通常入賞領域に入った遊技球を検出する通常検出手段、前記特定入賞領域及び前記通常入賞領域における遊技球の受け入れを所定の周期をもって切り替える受入切替手段を有し、前記遊技領域内の前記始動入賞口とは異なる位置に配された可変入賞装置と、を備えた遊技機であって、前記可変入賞装置は、前記入賞空間の後壁部分に配されると共に、当該後壁部分のほぼ全体に表示画面が臨設されて演出表示を行う表示器を備え、前記転動装置は、前記入賞空間に入った遊技球を受け入れる球入口と、該球入口で受け入れた遊技球を前記特定入賞領域又は前記通常入賞領域に送り出す球出口とを有し、前記球入口での遊技球の受け入れを可能にすると共に前記表示画面の少なくとも前面一部を隠蔽する第一の位置と、当該隠蔽を解除する通常位置となる第二の位置との間で移動可能に設けられた可動通路部材と、を備え、前記可動通路部材は、１個の遊技球を受け入れ可能な球受凹部が周方向に一定間隔を置いて複数個形成されると共にモータの駆動に基づいて常時、一方向に回動する円盤形状の球受回動部材と、該球受回動部材の上端側に設けられて前記入賞空間内に入った遊技球を前記複数個の球受凹部のいずれかに送り込む球受入口と、前記球受回動部材の下端側に設けられて前記球受回動部材の回動動作に伴って前記球受凹部内の遊技球を前記特定入賞領域又は前記通常入賞領域に排出する球排出口と、を備え、前記遊技機は、前記進入検出手段による遊技球の検出に基づいて、前記可動通路部材を前記第二の位置から前記第一の位置に移動させる制御を行う移動制御手段と、前記表示器による演出表示を制御する演出表示制御手段と、を備え、前記演出表示制御手段は、前記可動通路部材が前記第一の位置に移動した状態で、当該可動通路部材に対して作用を及ぼす演出画像を表示制御し、前記通常検出手段によって遊技球が検出されたときは、前記特定遊技状態が発生しない旨を遊技者に示唆する態様で前記作用を及ぼす演出画像を表示制御する一方、前記特定検出手段によって遊技球が検出されたときは、前記特定遊技状態が発生する旨を遊技者に示唆する態様で前記作用を及ぼす演出画像を表示制御することを特徴とする。
この場合、進入検出手段による遊技球の検出がないとき、即ち可変入賞装置への入賞がないときには、表示画面の隠蔽を解除する第二の位置に可動通路部材を移動させることで、入賞空間の後壁部分におけるほぼ全体に臨設された表示器の表示画面で演出表示を行う。一方、進入検出手段による遊技球の検出があるとき、即ち可変入賞装置への入賞があるときには、表示画面の少なくとも前面一部を隠蔽する第一の位置に可動通路部材を移動させることで、入賞空間に入った遊技球を可動通路部材（球入口）で受け入れ、当該遊技球を可動通路部材の球出口から特定入賞領域又は通常入賞領域に送り出すことで、特定遊技状態を発生させるか否かを決定する。これにより、遊技領域内での可変入賞装置の占有領域を制限することなく、表示器の演出表示をダイナミックに行うことができ、ひいては表示器の演出表示に対する視覚的な興趣の低下を抑制することができる。また、球受入口で受け入れた遊技球を球受回動部材の回動動作によって回転方向に搬送して、その後、球排出口から特定入賞領域又は通常入賞領域に送り出す構成にできるので、可動通路部材での遊技球の球流れに対する視覚的な興趣の低下を抑制することができる。
また、この構成によれば、表示器の表示画面の少なくとも前面一部を隠蔽する状態にある可動通路部材の背面側で、当該可動通路部材に対して作用を及ぼす演出画像を表示することで、表示器の演出表示によって可動通路部材内での遊技球の球流れを視覚的に盛り上げることができる。また、表示器の可動通路部材に対して作用を及ぼす演出画像によって特定遊技状態が発生するか否か（特定検出手段によって遊技球が検出されたか否か）を遊技者に認識させることができるので、表示器の演出表示に対する興趣の低下をより一層抑制することができる。
【手続補正４】
【補正対象書類名】明細書
【補正対象項目名】０００６
【補正方法】変更
【補正の内容】
【０００６】
（解決手段３）
解決手段１又は解決手段２において、前記可動通路部材に入った遊技球を検出する通路内検出手段と、該通路内検出手段による遊技球の検出タイミングに基づいて当該遊技球が前記特定入賞領域に入る可能性を予測する特定入賞予測手段と、を備え、前記演出表示制御手段は、前記特定入賞予測手段により遊技球が前記特定入賞領域に入る可能性が高いと予測されたときは、遊技球が前記特定入賞領域又は前記通常入賞領域に入る前段階で当該遊技球が前記特定入賞領域に入る可能性が高いことを予告する演出画像を表示制御する一方、前記特定入賞予測手段により遊技球が前記特定入賞領域に入る可能性が低いと予測されたときは、遊技球が前記特定入賞領域又は前記通常入賞領域に入る前段階で当該遊技球が前記特定入賞領域に入る可能性が低いことを予告する演出画像を表示制御することを特徴とする請求項１記載の遊技機。
この場合、可動通路部材の背面側で行われる表示器の演出表示によって可動通路部材内に入った遊技球が特定入賞領域に送り込まれる可能性を遊技者に予告することができるので、表示器の演出表示に対する興趣を高めることができ、ひいては遊技の興趣の低下を抑制することができる。